(57)【要約】【課題】相手コネクタの強度を改善する技術を提供することにある。【解決手段】レセプタクル側基板２に搭載されて用いられるレセプタクル３は、枠体１５と、枠体１５から延びて形成されると共に、レセプタクル側基板２から離れる方向に延びる基板離間部１６ｂを有する、複数の片持ち梁１６と、複数の片持ち梁１６の基板離間部１６ｂを挟んでレセプタクル側基板２と反対側に配置されることで複数の片持ち梁１６の基板離間部１６ｂを覆うコンタクトカバー３０と、複数の片持ち梁１６上に絶縁層１０を介して設けられる複数の導電パターン１１と、を備える。枠体１５は、プラグ５を収容するプラグ収容空間Sを形成している。プラグ収容空間Sは、複数の片持ち梁１６の基板離間部１６ｂを取り囲むように形成されている。【選択図】図１
2014182935.tif 000002
【特許請求の範囲】
【請求項１】
基板に搭載されて用いられる導電パターン式コネクタであって、
金属製枠体と、
前記金属製枠体から延びて形成されると共に、前記基板から離れる方向に延びる基板離間部を有する、複数の金属製片持ち梁と、
前記複数の金属製片持ち梁の前記基板離間部を挟んで前記基板と反対側に配置されることで前記複数の金属製片持ち梁の前記基板離間部を覆うカバー体と、
前記複数の金属製片持ち梁上に絶縁体を介して設けられる複数の導電パターンと、
を備え、
前記金属製枠体は、相手コネクタを収容する相手コネクタ収容空間を形成しており、
前記相手コネクタ収容空間は、前記複数の金属製片持ち梁の前記基板離間部を取り囲むように形成されている、
導電パターン式コネクタ。
【請求項２】
請求項１に記載の導電パターン式コネクタであって、
前記カバー体を前記基板に固定するためのカバー体固定部を更に備えた、
導電パターン式コネクタ。
【請求項３】
請求項２に記載の導電パターン式コネクタであって、
前記カバー体固定部は、前記カバー体から前記基板に向かって延びる脚部と、前記基板に固定される固定部と、を含む、
導電パターン式コネクタ。
【請求項４】
請求項２又は３に記載の導電パターン式コネクタであって、
前記カバー体を前記金属製枠体に仮保持させるための仮保持部を更に備えた、
導電パターン式コネクタ。
【請求項５】
請求項４に記載のコネクタであって、
前記カバー体固定部は、前記カバー体と前記仮保持部の間に配置される、
導電パターン式コネクタ。
【請求項６】
請求項１〜５の何れかに記載の前記導電パターン式コネクタ及び前記相手コネクタを備えたコネクタユニットであって、
前記相手コネクタは、複数のコンタクトと、前記複数のコンタクトを保持するインシュレータと、を有し、
前記インシュレータは、前記導電パターン式コネクタの前記相手コネクタ収容空間に収容される被収容部を有する、
コネクタユニット。
【請求項７】
請求項６に記載のコネクタユニットであって、
前記相手コネクタは、前記導電パターン式コネクタの前記複数の導電パターンと、前記相手コネクタの前記複数のコンタクトと、のピッチ方向における位置決めを行うために、前記導電パターン式コネクタに対してピッチ方向で接触する位置決め接触部を有する、
コネクタユニット。
【請求項８】
請求項７に記載のコネクタユニットであって、
前記位置決め接触部は、金属製である、
コネクタユニット。
【請求項９】
請求項６〜８の何れかに記載のコネクタユニットであって、
前記導電パターン式コネクタは、前記導電パターン式コネクタに嵌合した前記相手コネクタが前記導電パターン式コネクタから外れないように、前記相手コネクタに対して引っ掛かるロック機構を更に備える、
コネクタユニット。
【発明の詳細な説明】
【技術分野】
【０００１】
本発明は、導電パターン式コネクタ及びコネクタユニットに関する。
【背景技術】
【０００２】
この種の技術として、特許文献１は、本願の図１８に示すように、金属板である基材１００の一面に絶縁層を形成し、絶縁層上に金属鍍金を形成することで導体部を形成したコネクタ１０１を開示している。このコネクタ１０１は、基材１００の底部１００ａをプリント配線基板１０２に実装することで、プリント配線基板１０２に対して取り付けられる。
【先行技術文献】
【特許文献】
【０００３】
【特許文献１】特開２００６−２２８６１２号公報
【発明の概要】
【発明が解決しようとする課題】
【０００４】
ところで、本願発明者らは、図１９に示すように、金属板上に絶縁層を形成し、絶縁層上に複数の導電パターンを形成することで各導電パターンがコンタクトとして機能しつつ、レセプタクル側基板２Pに搭載されて用いられるレセプタクルコネクタ３Pを開発している。レセプタクルコネクタ３Pは、プラグ側基板に搭載されるプラグコネクタと嵌合することで、レセプタクル側基板２Pとプラグ側基板を接続する。
【０００５】
図１９〜図２１に示すように、レセプタクルコネクタ３Pは、櫛状に並べられる複数の片持ち梁６Pと、複数の片持ち梁６Pを取り囲む外枠体７Pと、を備えて構成されている。図２０に示すように、複数の片持ち梁６Pは、レセプタクル側基板２Pのコネクタ搭載面２ａPに対して平行に、２列になって並んでいる。
【０００６】
ここで、図２０を参照して、「ピッチ方向」、「ピッチ直交方向」、「高さ方向」を定義する。「ピッチ方向」とは、多数の片持ち梁６Pが並べられている方向を意味する。「ピッチ方向」のうちレセプタクルコネクタ３Pの中央に近づく方向を「ピッチ中央方向」と定義し、レセプタクルコネクタ３Pの中央から離れる方向を「ピッチ反中央方向」と定義する。「ピッチ直交方向」とは、レセプタクル側基板２Pのコネクタ搭載面２ａPに対して平行な方向であって、ピッチ方向に対して直交する方向である。「ピッチ直交方向」のうちレセプタクルコネクタ３Pの中央に近づく方向を「ピッチ直交中央方向」と定義し、レセプタクルコネクタ３Pの中央から離れる方向を「ピッチ直交反中央方向」と定義する。「高さ方向」とは、レセプタクル側基板２Pのコネクタ搭載面２ａPに対して直交する方向である。「高さ方向」のうちレセプタクル側基板２Pのコネクタ搭載面２ａPに近づく方向を「基板近接方向」と定義し、レセプタクル側基板２Pのコネクタ搭載面２ａPから離れる方向を「基板離間方向」と定義する。ピッチ方向とピッチ直交方向、高さ方向は、互いに直交している。
【０００７】
図１９〜図２１に示すように、外枠体７Pは、天板８Pと、一対の側板９Pと、を備えている。
【０００８】
図２０に示すように、天板８Pは、複数の片持ち梁６Pを挟んでレセプタクル側基板２Pと反対側に配置されており、レセプタクル側基板２Pに対して略平行となるように配置される。天板８Pは、プラグコネクタが挿入される挿入開口ユニット１０Pを有している。挿入開口ユニット１０Pは、一対の挿入開口１１Pによって構成されている。即ち、天板８Pには、一対の挿入開口１１Pが形成されている。一対の挿入開口１１Pは、ピッチ直交方向に並んで配置されている。各挿入開口１１Pは、ピッチ方向に長細く形成されている。天板８Pは、天板中央部８ａPを有している。天板中央部８ａPは、ピッチ直交方向において、一対の挿入開口１１Pの間に配置されている。一対の挿入開口１１Pは、天板中央部８ａPによって仕切られている。
【０００９】
図２０に示すように、一対の側板９Pは、複数の片持ち梁６Pをピッチ直交方向において挟むように配置されている。一対の側板９Pは、天板８Pのピッチ直交方向の端部に接続しており、基板近接方向に延びて形成されている。
【００１０】
図２１に示すように、各片持ち梁６Pは、外枠体７Pの各側板９Pの下端部９ａPに接続しつつピッチ直交中央方向に向かって延びる直線部６ａPと、直線部６ａPに接続しつつ基板離間方向、ピッチ直交反中央方向、基板近接方向へ順番に向かうように湾曲する湾曲部６ｂPと、によって構成されている。各片持ち梁６Pのうちレセプタクル側基板２Pから最も離れた部分である頂部６ｃPは、天板８Pの天板中央部８ａPによって覆われている。
【００１１】
以上の構成のレセプタクルコネクタ３Pには、図１９に示すように、複数の導電パターンｃPが形成されている。各導電パターンｃPは、コンタクトとして機能する。
【００１２】
図２０及び図２１に示すように、各導電パターンｃPは、各片持ち梁６Pと、側板９Pと、天板８Pと、に跨るように形成されている。
【００１３】
以上の構成のレセプタクルコネクタ３Pに嵌合するプラグコネクタは、例えば、レセプタクルコネクタ３Pの天板８Pの一対の挿入開口１１Pに夫々挿入される一対の被挿入部と、プラグ側基板に対して平行であると共に一対の被挿入部を連結する連結部と、を備える。上記レセプタクルコネクタ３Pの構成では、プラグコネクタの一対の被挿入部と連結部との間に例えばリブ等を形成することができないので、プラグコネクタの強度改善を阻害していた。
【００１４】
本願発明の目的は、相手コネクタの強度を改善する技術を提供することにある。
【課題を解決するための手段】
【００１５】
本願発明の観点によれば、基板に搭載されて用いられる導電パターン式コネクタであって、金属製枠体と、前記金属製枠体から延びて形成されると共に、前記基板から離れる方向に延びる基板離間部を有する、複数の金属製片持ち梁と、前記複数の金属製片持ち梁の前記基板離間部を挟んで前記基板と反対側に配置されることで前記複数の金属製片持ち梁の前記基板離間部を覆うカバー体と、前記複数の金属製片持ち梁上に絶縁体を介して設けられる複数の導電パターンと、を備え、前記金属製枠体は、相手コネクタを収容する相手コネクタ収容空間を形成しており、前記相手コネクタ収容空間は、前記複数の金属製片持ち梁の前記基板離間部を取り囲むように形成されている、導電パターン式コネクタが提供される。
前記導電パターン式コネクタは、前記カバー体を前記基板に固定するためのカバー体固定部を更に備えた。
前記カバー体固定部は、前記カバー体から前記基板に向かって延びる脚部と、前記基板に固定される固定部と、を含む。
前記導電パターン式コネクタは、前記カバー体を前記金属製枠体に仮保持させるための仮保持部を更に備えた。
前記カバー体固定部は、前記カバー体と前記仮保持部の間に配置される。
前記導電パターン式コネクタ及び前記相手コネクタを備えたコネクタユニットであって、前記相手コネクタは、複数のコンタクトと、前記複数のコンタクトを保持するインシュレータと、を有し、前記インシュレータは、前記導電パターン式コネクタの前記相手コネクタ収容空間に収容される被収容部を有する、コネクタユニットが提供される。
前記相手コネクタは、前記導電パターン式コネクタの前記複数の導電パターンと、前記相手コネクタの前記複数のコンタクトと、のピッチ方向における位置決めを行うために、前記導電パターン式コネクタに対してピッチ方向で接触する位置決め接触部を有する。
前記位置決め接触部は、金属製である。
前記導電パターン式コネクタは、前記導電パターン式コネクタに嵌合した前記相手コネクタが前記導電パターン式コネクタから外れないように、前記相手コネクタに対して引っ掛かるロック機構を更に備える。
【発明の効果】
【００１６】
本願発明によれば、前記相手コネクタの強度を確保することが容易となる。
【図面の簡単な説明】
【００１７】
【図１】図1は、コネクタユニットの嵌合前の状態を示す斜視図である。
【図２】図2は、コネクタユニットの嵌合前の状態を示す一部切り欠き斜視図である。
【図３】図3は、コネクタユニットの嵌合前の状態を示す一部切り欠き斜視図である。
【図４】図4は、レセプタクルの分解斜視図である。
【図５】図5は、レセプタクル本体の斜視図である。
【図６】図6は、レセプタクル本体の別の角度から見た斜視図である。
【図７】図7は、レセプタクル本体の正面図である。
【図８】図8は、図６のA部拡大図である。
【図９】図9は、図５のB部拡大図である。
【図１０】図10は、補助金具の斜視図である。
【図１１】図11は、機能部の斜視図である。
【図１２】図12は、レセプタクルの平面図である。
【図１３】図13は、プラグの斜視図である。
【図１４】図14は、プラグの別の角度から見た斜視図である。
【図１５】図15は、プラグの一部切り欠き斜視図である。
【図１６】図16は、プラグの別の一部切り欠き斜視図である。
【図１７】図17は、レセプタクルとプラグとの嵌合説明図である。
【図１８】図18は、特許文献１の図８に相当する図である。
【図１９】図19は、関連するレセプタクルコネクタの斜視図である。
【図２０】図20は、関連するレセプタクルコネクタの一部切り欠き斜視図である。
【図２１】図21は、関連するレセプタクルコネクタの正面図である。
【発明を実施するための形態】
【００１８】
（コネクタユニット１）
図１〜図３に示すように、コネクタユニット１は、レセプタクル側基板２のコネクタ搭載面２ａに搭載されて用いられるレセプタクル３（導電パターン式コネクタ）と、プラグ側基板４のコネクタ搭載面４ａに搭載されて用いられるプラグ５（相手コネクタ）と、によって構成されている。コネクタユニット１は、レセプタクル側基板２とプラグ側基板４を電気的に接続するのに用いられる。即ち、レセプタクル３をプラグ５に嵌合させると、レセプタクル側基板２とプラグ側基板４が電気的に接続する。
【００１９】
（レセプタクル３）
図４に示すように、レセプタクル３は、レセプタクル本体６と、２枚の絶縁シート７と、補助金具８と、を備える。
【００２０】
（レセプタクル３：レセプタクル本体６）
図５及び図６に示すように、レセプタクル本体６は、金属板９と、絶縁層１０（絶縁体）と、複数の導電パターン１１と、４つのホールドダウンパターン１２と、を備える。
【００２１】
図１に示すように、複数の導電パターン１１は、２列になって配置されている。各列に属する複数の導電パターン１１は、レセプタクル側基板２のコネクタ搭載面２ａに対して平行な方向において、等間隔に配置されている。
【００２２】
ここで、「ピッチ方向」、「ピッチ直交方向」、「基板直交方向」を定義する。「ピッチ方向」とは、レセプタクル側基板２のコネクタ搭載面２ａに対して平行な方向であって、多数の導電パターン１１が並べられている方向を意味する。「ピッチ方向」のうちレセプタクル３の中央に近づく方向を「ピッチ中央方向」と定義し、レセプタクル３の中央から離れる方向を「ピッチ反中央方向」と定義する。
「ピッチ直交方向」とは、レセプタクル側基板２のコネクタ搭載面２ａに対して平行な方向であって、ピッチ方向に対して直交する方向である。「ピッチ直交方向」のうちレセプタクル３の中央に近づく方向を「ピッチ直交中央方向」と定義し、レセプタクル３の中央から離れる方向を「ピッチ直交反中央方向」と定義する。「基板直交方向」とは、レセプタクル側基板２のコネクタ搭載面２ａに対して直交する方向である。「基板直交方向」のうちレセプタクル側基板２のコネクタ搭載面２ａに近づく方向を「基板近接方向」と定義し、レセプタクル側基板２のコネクタ搭載面２ａから離れる方向を「基板離間方向」と定義する。ピッチ方向及びピッチ直交方向、基板直交方向は、互いに直交している。図１において上記のように定義したピッチ方向及びピッチ直交方向、基板直交方向は、プラグ５を説明する際にもそのまま使用するものとする。即ち、基板近接方向及び基板離間方向は、プラグ５を説明する際であっても、あくまで、プラグ側基板４のコネクタ搭載面４ａではなくレセプタクル側基板２のコネクタ搭載面２ａに基づいて定義されたものであることに留意されたい。
【００２３】
図５及び図６に示すように、金属板９は、枠体１５（金属製枠体）と、複数の片持ち梁１６と、を備える。
【００２４】
枠体１５は、一対の側板１７、４つのホールドダウン部１８、一対の天板１９、一対のガイド板２０、を備える。
【００２５】
一対の側板１７は、複数の片持ち梁１６をピッチ直交方向で挟むように配置されている。各側板１７は、ピッチ方向に細長く延びている。各側板１７の板厚方向は、ピッチ直交方向に一致している。
【００２６】
４つのホールドダウン部１８は、一対の側板１７の間に配置されている。２つのホールドダウン部１８は、一方の側板１７のピッチ方向における両端部から、ピッチ直交中央方向に延びている。同様に、他の２つのホールドダウン部１８も、他方の側板１７のピッチ方向における両端部から、ピッチ直交中央方向に延びている。各ホールドダウン部１８の板厚方向は、基板直交方向に一致している。
【００２７】
一対の天板１９は、一対の側板１７の間に配置されている。一方の天板１９は、一対の側板１７のピッチ方向における一方の端部の、基板離間方向における端部同士を連結するように、ピッチ直交方向に延びている。一方の天板１９のピッチ直交方向における中央には、ピッチ中央方向へ突出する爪部１９ａが形成されている。同様に、他方の天板１９も、一対の側板１７のピッチ方向における他方の端部の、基板離間方向における端部同士を連結するように、ピッチ直交方向に延びている。他方の天板１９のピッチ直交方向における中央には、ピッチ中央方向へ突出する爪部１９ａが形成されている。一対の天板１９の板厚方向は、基板直交方向に一致している。
【００２８】
一対のガイド板２０は、一対の側板１７の間に配置されている。一対のガイド板２０は、一対の天板１９の間に配置されている。各ガイド板２０は、ピッチ方向に細長く延びている。一方のガイド板２０は、一方の側板１７の基板離間方向における端部から基板近接方向に延びている。図７に示すように、レセプタクル本体６をピッチ方向で見たときに、一方のガイド板２０は、ピッチ直交中央方向に向かって凸となるように湾曲する。一方のガイド板２０は、ピッチ方向に対して直交する一対の端面２０ａを有する。同様に、他方のガイド板２０は、他方の側板１７の基板離間方向における端部から基板近接方向に延びている。レセプタクル本体６をピッチ方向で見たときに、他方のガイド板２０は、ピッチ直交中央方向に向かって凸となるように湾曲する。他方のガイド板２０は、ピッチ方向に対して直交する一対の端面２０ａを有する。
【００２９】
図５に示すように、複数の片持ち梁１６は、一対の側板１７の間に配置されている。複数の片持ち梁１６は、ピッチ方向に沿って２列になって配置されている。各列に属する複数の片持ち梁１６は、各側板１７の基板近接方向の端部からピッチ直交中央方向に延びている。図７に示すように、各片持ち梁１６は、水平部１６ａと基板離間部１６ｂ、基板近接部１６ｃを有する。水平部１６ａは、側板１７の基板近接方向の端部から、若干基板離間方向に傾斜しながら、ピッチ直交中央方向に延びる。基板離間部１６ｂは、水平部１６ａのピッチ直交中央方向における端部から基板離間方向に延びる。基板離間部１６ｂは、水平部１６ａのピッチ直交中央方向における端部から、若干ピッチ直交反中央方向に傾斜しながら、基板離間方向に延びる。基板近接部１６ｃは、基板離間部１６ｂのピッチ直交反中央方向側に配置されている。基板近接部１６ｃは、基板離間部１６ｂの基板離間方向における端部から基板近接方向に延びる。基板近接部１６ｃは、ピッチ直交反中央方向に向かって凸となるように湾曲する。図８に示すように、各列においてピッチ方向に隣り合う２つの片持ち梁１６は、梁連結部２１によって連結されている。即ち、枠体１５は、複数の梁連結部２１を更に有する。各梁連結部２１は、各列においてピッチ方向に隣り合う２つの片持ち梁１６の水平部１６ａ同士を連結している。
【００３０】
図７に示すように、各列に属する複数の片持ち梁１６の基板近接部１６ｃは、ピッチ直交方向においてガイド板２０と対向している。各列に属する複数の片持ち梁１６の基板近接部１６ｃと、ガイド板２０と、の間には、第１プラグ収容空間２５が形成されている。従って、レセプタクル本体６には、２つの第１プラグ収容空間２５が形成されている。各第１プラグ収容空間２５は、各ガイド板２０と同じように、ピッチ方向に細長く形成されている（図１２を併せて参照）。
【００３１】
図９に示すように、絶縁層１０は、金属板９の外面に、全面にわって形成されている。絶縁層１０は、例えばポリイミドやアラミドによって形成されている。絶縁層１０は、金属板９の酸化膜として形成してもよい。
【００３２】
図７に示すように、複数の導電パターン１１は、複数の片持ち梁１６上に絶縁層１０を介して設けられている。各導電パターン１１は、各片持ち梁１６と、側板１７と、ガイド板２０と、に跨るように細長く形成されている。複数の導電パターン１１は、夫々所謂コンタクトして機能する。
【００３３】
図６に示すように、各ホールドダウンパターン１２は、各ホールドダウン部１８上に絶縁層１０を介して設けられている。
【００３４】
（レセプタクル３：絶縁シート７）
図４に示すように、レセプタクル本体６には、２つの絶縁シート７が貼り付けられている。各絶縁シート７は、図５に示すレセプタクル本体６の枠体１５の各側板１７の外面に絶縁層１０を介して貼り付けられている。
【００３５】
（レセプタクル３：補助金具８）
図１０〜図１３に示すように、補助金具８は、コンタクトカバー３０（カバー体）と、一対の機能部３１と、を備える。
【００３６】
コンタクトカバー３０は、一対の機能部３１の間に配置される。コンタクトカバー３０は、ピッチ方向に細長く延びている。コンタクトカバー３０の板厚方向は、基板直交方向に一致している。
【００３７】
一対の機能部３１は、同一形状であるから、一方の機能部３１についてのみ説明し、他方の機能部３１の説明は省略する。
【００３８】
機能部３１は、コンタクトカバー固定部３２（カバー体固定部）と、仮保持部３３と、一対のロック機構Eと、を有する。
【００３９】
コンタクトカバー固定部３２は、コンタクトカバー３０をレセプタクル側基板２のコネクタ搭載面２ａに固定するための部分である。コンタクトカバー固定部３２は、脚部３４と、固定部３５と、を備える。脚部３４は、コンタクトカバー３０のピッチ方向における端部からレセプタクル側基板２のコネクタ搭載面２ａに向かって延びる。脚部３４の板厚方向は、ピッチ方向に一致している。固定部３５は、レセプタクル側基板２のコネクタ搭載面２ａに対して固定される部分である。固定部３５は、脚部３４の基板近接方向における端部からピッチ反中央方向に延びる。固定部３５の板厚方向は、基板直交方向に一致している。
【００４０】
仮保持部３３は、コンタクトカバー３０をレセプタクル本体６の枠体１５に仮保持させるための部分である。図１１に示すように、仮保持部３３は、脚部３６と、肩部３７と、を有する。脚部３６は、コンタクトカバー固定部３２の固定部３５のピッチ反中央方向における端部から基板離間方向に延びる。脚部３６の板厚方向は、ピッチ方向に一致している。肩部３７は、脚部３６の基板離間方向における端部からピッチ反中央方向に延びる。肩部３７の板厚方向は、基板直交方向に一致している。そして、仮保持部３３には、爪収容孔３８が形成されている。爪収容孔３８は、脚部３６と肩部３７に跨るように形成されている。仮保持部３３に爪収容孔３８を形成することで、脚部３６には、引っ掛かり面３９が形成される。引っ掛かり面３９は、基板離間方向を向く面である。
【００４１】
ロック機構Eは、ロック片４０と、変位規制部４１と、を備える。
【００４２】
ロック片４０は、片持ち梁である。ロック片４０は、ロック片本体４２と、ロック爪４３と、変位規制爪４４と、を有する。ロック片本体４２は、弾性部４５と、爪保持部４６と、を有する。弾性部４５は、爪保持部４６の弾性変位を可能とするための部分である。弾性部４５は、仮保持部３３の脚部３６からピッチ直交反中央方向、ピッチ中央方向、ピッチ直交中央方向に順に延びる。爪保持部４６は、ロック爪４３及び変位規制爪４４を保持するための部分である。爪保持部４６は、弾性部４５の先端から基板近接方向に延びる。ロック爪４３は、爪保持部４６の基板直交方向における中央からピッチ直交中央方向に突出して形成されている。変位規制爪４４は、爪保持部４６の基板近接方向における端部からピッチ直交反中央方向に突出して形成されている。ロック片４０の存在により、ロック爪４３は、ピッチ直交方向において弾性的に変位することができる。
【００４３】
変位規制部４１は、変位規制梁４７と、一対の脚部４８と、を有する。変位規制梁４７は、爪保持部４６よりもピッチ直交反中央方向側に配置されている。変位規制梁４７は、爪保持部４６に対してピッチ直交方向で対向している。変位規制梁４７は、変位規制爪４４よりも基板離間方向側に配置されている。変位規制梁４７は、変位規制爪４４に対して基板直交方向で対向している。一対の脚部４８は、変位規制梁４７をコンタクトカバー固定部３２の固定部３５に支持させるための部分である。変位規制部４１の存在により、ロック爪４３の基板離間方向への過大な変位が規制される。また、変位規制部４１の存在により、ロック爪４３のピッチ直交反中央方向への過大な変位が規制される。
【００４４】
以上の構成で、補助金具８をレセプタクル本体６に取り付けるには、図４に示すように、補助金具８をレセプタクル本体６の枠体１５内に嵌め込む。具体的には、レセプタクル本体６には、２つの機能部収容空間５０が形成されている。各機能部収容空間５０は、ピッチ直交方向において一対の側板１７の間に形成されている。各機能部収容空間５０は、ピッチ方向において複数の片持ち梁１６と、各天板１９と、の間に形成されている。そして、補助金具８をレセプタクル本体６に取り付けるには、各機能部３１を各機能部収容空間５０内に収容する。このとき、図１１に示す補助金具８の機能部３１の仮保持部３３の爪収容孔３８内に、図５に示すレセプタクル本体６の枠体１５の天板１９の爪部１９ａが収容される。これにより、レセプタクル本体６の枠体１５の天板１９は、図１１に示す補助金具８の機能部３１の仮保持部３３の肩部３７と、脚部３６の引っ掛かり面３９と、の間に挟まれ、もって、補助金具８とレセプタクル本体６との基板直交方向における相対的な変位が規制される。この補助金具８とレセプタクル本体６との基板直交方向における相対的な変位の規制によって、補助金具８はレセプタクル本体６に取り付けられる。なお、レセプタクル本体６の枠体１５の天板１９は、図１１に示す補助金具８の機能部３１の仮保持部３３の肩部３７と、脚部３６の引っ掛かり面３９と、の間において、基板直交方向における僅かな変位が許容されている。この意味で、仮保持部３３は、補助金具８をレセプタクル本体６に固定しているのではなく、補助金具８をレセプタクル本体６に仮保持させている。また、このとき、図１１に示す補助金具８の機能部３１の仮保持部３３の爪収容孔３８内に、図５に示すレセプタクル本体６の枠体１５の天板１９の爪部１９ａが収容されることで、補助金具８とレセプタクル本体６との、ピッチ方向及びピッチ直交方向における相対的な変位も規制される。
【００４５】
また、補助金具８をレセプタクル本体６に上記のように取り付けると、図１０に示す補助金具８のコンタクトカバー３０は、図７に示すレセプタクル本体６の枠体１５の各片持ち梁１６の基板離間部１６ｂを上方から覆う（図１及び図２を併せて参照）。換言すれば、コンタクトカバー３０は、複数の片持ち梁１６の基板離間部１６ｂを挟んでレセプタクル側基板２のコネクタ搭載面２ａと反対側に配置されることで、複数の片持ち梁１６の基板離間部１６ｂを上方から覆う。コンタクトカバー３０の存在により、プラグ５をレセプタクル３に嵌合させる際、複数の片持ち梁１６の基板離間部１６ｂがプラグ５によって基板近接方向に押し潰されることがない。
【００４６】
図１２には、説明の便宜上、レセプタクル３を破線で描いている。補助金具８をレセプタクル本体６に取り付けると、図１２に示すように、レセプタクル３には、プラグ５を収容するプラグ収容空間Sが形成される。プラグ収容空間Sは、図１２の平面視で、複数の片持ち梁１６の基板離間部１６ｂを取り囲むように環状に形成されている。プラグ収容空間Sは、複数の片持ち梁１６の基板離間部１６ｂを取り囲むようにループ状に形成されている。プラグ収容空間Sは、一対の第１プラグ収容空間２５と、一対の第２プラグ収容空間５１と、によって構成されている。一対の第１プラグ収容空間２５は、複数の片持ち梁１６の基板離間部１６ｂをピッチ直交方向において挟むように形成される。一対の第２プラグ収容空間５１は、複数の片持ち梁１６の基板離間部１６ｂをピッチ方向において挟むように形成される。図１０に示すように、各第２プラグ収容空間５１は、コンタクトカバー固定部３２の脚部３４と、コンタクトカバー固定部３２の固定部３５と、仮保持部３３の脚部３６と、図１２に示す一対の側板１７と、によって区画されて形成されている。
【００４７】
（プラグ５）
図１３及び図１４に示すように、プラグ５は、複数のプラグコンタクト６０（コンタクト）と、複数のプラグコンタクト６０を保持するインシュレータ６１と、４つの補助金具６２と、を備える。
【００４８】
インシュレータ６１は、一対のコンタクト保持梁６３と、４つの位置決め凸部６４と、一対の補助金具保持部６５と、基板対向部６６と、を有する。一対のコンタクト保持梁６３は、複数のプラグコンタクト６０を保持する部分である。一対のコンタクト保持梁６３は、ピッチ直交方向において互いに離れて配置されている。一対のコンタクト保持梁６３は、ピッチ方向に細長く形成されている。２つの位置決め凸部６４は、一方のコンタクト保持梁６３のピッチ方向における両端部に配置されている。他の２つの位置決め凸部６４は、他方のコンタクト保持梁６３のピッチ方向における両端部に配置されている。各位置決め凸部６４は、コンタクト保持梁６３と比較して、ピッチ直交反中央方向に突き出ている。図１５に示すように、各位置決め凸部６４は、ピッチ中央方向を向く基準面６４ａを有する。図１３及び図１４に示すように、一対の補助金具保持部６５は、４つの補助金具６２を保持する部分である。一方の補助金具保持部６５は、２つの補助金具６２を保持する。他方の補助金具保持部６５は、他の２つの補助金具６２を保持する。一対の補助金具保持部６５は、ピッチ方向において一対のコンタクト保持梁６３を挟むように配置されている。以上の構成で、一対のコンタクト保持梁６３、４つの位置決め凸部６４、一対の補助金具保持部６５は、レセプタクル３のプラグ収容空間Sに収容される被収容部Fを構成している。図１４に示すように、被収容部Fは、基板離間方向で見て、ループを構成している。被収容部Fは、基板離間方向で見て、ループ状に形成されている。被収容部Fは、基板離間方向で見て、環状に形成されている。図１３に示す基板対向部６６は、プラグ側基板４のコネクタ搭載面４ａと対向する部分である。基板対向部６６の板厚方向は、基板直交方向に一致している。基板対向部６６は、被収容部Fの基板離間方向における端部を閉塞する。
【００４９】
図１３及び図１４に示すように、各プラグコンタクト６０は、一対のコンタクト保持梁６３にインサート成形によって保持されている。図１４に示すように、各プラグコンタクト６０は、プラグ側基板４のコネクタ搭載面４ａに対してハンダ付けされるハンダ付け部６０ａと、U字状に形成された接点部６０ｂと、を有する。
【００５０】
図１５に示すように、各補助金具６２は、位置決め凸部６４及び補助金具保持部６５にインサート成形により保持されている。各補助金具６２は、ハンダ付け部６２ａと、ロック爪６２ｂと、位置決めガイド部６２ｃと、を有する。図１５及び図１６に示すように、ハンダ付け部６２ａは、プラグ側基板４のコネクタ搭載面４ａに対してハンダ付けされる部分である。ロック爪６２ｂは、補助金具保持部６５からピッチ直交反中央方向に突き出るように形成されている。位置決めガイド部６２ｃは、位置決め凸部６４の基準面６４ａに露出している。
【００５１】
（コネクタユニット１の使用方法）
次に、コネクタユニット１の使用方法を説明する。図１に示すように、コネクタユニット１は、レセプタクル側基板２とプラグ側基板４を電気的に接続するためのコネクタである。
【００５２】
先ず、レセプタクル３をレセプタクル側基板２のコネクタ搭載面２ａに搭載する。具体的には、図６に示す、複数の導電パターン１１及び複数のホールドダウンパターン１２を、図１に示すレセプタクル側基板２のコネクタ搭載面２ａにハンダ付けする。その後、図１０に示す補助金具８のコンタクトカバー固定部３２の固定部３５をレセプタクル側基板２のコネクタ搭載面２ａにハンダ付けする。
【００５３】
次に、プラグ５をプラグ側基板４のコネクタ搭載面４ａに搭載する。具体的には、図１３に示す各プラグコンタクト６０のハンダ付け部６０ａと、各補助金具６２のハンダ付け部６２ａと、を図１に示すプラグ側基板４のコネクタ搭載面４ａにハンダ付けする。
【００５４】
そして、レセプタクル側基板２のコネクタ搭載面２ａとプラグ側基板４のコネクタ搭載面４ａを対向させて、プラグ５をレセプタクル３に嵌合させる。具体的には、図１４に示すプラグ５の被収容部Fを、図１２に示すレセプタクル３のプラグ収容空間Sに挿入する。即ち、図１４に示すプラグ５の一対のコンタクト保持梁６３を図１２に示す一対の第１プラグ収容空間２５内に挿入する。これにより、プラグ５の各プラグコンタクト６０が、レセプタクル３の各導電パターン１１と接触する。また、同時に、図１４に示すプラグ５の一対の補助金具保持部６５及び４つの位置決め凸部６４を図１２に示すレセプタクル３の一対の第２プラグ収容空間５１内に挿入する。これにより、図１７に示すプラグ５の各補助金具６２のロック爪６２ｂが、レセプタクル３の補助金具８の機能部３１のロック機構Eのロック片４０のロック爪４３に引っ掛かる。これにより、プラグ５のレセプタクル３からの抜け止めが実現される。また、図１５に示すプラグ５の各補助金具６２の位置決めガイド部６２ｃが、図５に示すレセプタクル本体６の枠体１５のガイド板２０の端面２０ａに接触する。この接触により、レセプタクル３とプラグ５のピッチ方向における位置決めが実現される。具体的には、レセプタクル３の複数の導電パターン１１と、プラグ５の複数のプラグコンタクト６０と、のピッチ方向における位置決めが実現される。
【００５５】
以上に、本願発明の実施形態を説明したが、上記実施形態は、以下の特長を有している。
【００５６】
（１）レセプタクル側基板２（基板）に搭載されて用いられるレセプタクル３（導電パターン式コネクタ）は、枠体１５（金属製枠体）と、枠体１５から延びて形成されると共に、レセプタクル側基板２から離れる方向に延びる基板離間部１６ｂを有する、複数の片持ち梁１６（金属製片持ち梁）と、複数の片持ち梁１６の基板離間部１６ｂを挟んでレセプタクル側基板２と反対側に配置されることで複数の片持ち梁１６の基板離間部１６ｂを覆うコンタクトカバー３０（カバー体）と、複数の片持ち梁１６上に絶縁層１０（絶縁体）を介して設けられる複数の導電パターン１１と、を備える。枠体１５は、プラグ５（相手コネクタ）を収容するプラグ収容空間S（相手コネクタ収容空間）を形成している。プラグ収容空間Sは、複数の片持ち梁１６の基板離間部１６ｂを取り囲むように形成されている。以上の構成によれば、プラグ５のうちプラグ収容空間Sに収容される被収容部Fを、複数の片持ち梁１６の基板離間部１６ｂを取り囲むように形成することができるので、プラグ５の強度を確保することが容易となる。
【００５７】
（２）レセプタクル３は、コンタクトカバー３０をレセプタクル側基板２に固定するためのコンタクトカバー固定部３２（カバー体固定部）を更に備える。以上の構成によれば、レセプタクル３をレセプタクル側基板２に搭載した状態で、コンタクトカバー３０の固定が強化される。
【００５８】
（３）コンタクトカバー固定部３２は、コンタクトカバー３０からレセプタクル側基板２に向かって延びる脚部３４と、レセプタクル側基板２に固定される固定部３５と、を含む。
【００５９】
（４）レセプタクル３は、コンタクトカバー３０を枠体１５に仮保持させるための仮保持部３３を更に備える。以上の構成によれば、コンタクトカバー３０をレセプタクル側基板２に固定する前の段階で、コンタクトカバー３０を枠体１５に仮保持させることができ、組み立てが容易となる。
【００６０】
（５）コンタクトカバー固定部３２は、コンタクトカバー３０と仮保持部３３の間に配置される。
【００６１】
（６）コネクタユニット１は、レセプタクル３及びプラグ５を備える。プラグ５は、複数のプラグコンタクト６０と、複数のプラグコンタクト６０を保持するインシュレータ６１と、を有する。インシュレータ６１は、レセプタクル３のプラグ収容空間Sに収容される被収容部Fを有する。以上の構成によれば、プラグ５のうちプラグ収容空間Sに収容される被収容部Fを、複数の片持ち梁１６の基板離間部１６ｂを取り囲むように形成することができるので、プラグ５の強度を確保することが容易となる。
【００６２】
（７）プラグ５は、レセプタクル３の複数の導電パターン１１と、プラグ５の複数のプラグコンタクト６０と、のピッチ方向における位置決めを行うために、レセプタクル３に対してピッチ方向で接触する位置決めガイド部６２ｃ（位置決め接触部）を有する。
【００６３】
（８）位置決めガイド部６２ｃは、金属製である。以上の構成によれば、プラグ５をレセプタクル３に嵌合させる際に、プラグ５のインシュレータ６１が損傷したり、削れるなどにより位置決め精度が低下するのを防止できる。
【００６４】
（９）レセプタクル３は、レセプタクル３に嵌合したプラグ５がレセプタクル３から外れないように、プラグ５に対して引っ掛かるロック機構Eを更に備える。以上の構成によれば、レセプタクル３に嵌合したプラグ５がレセプタクル３から外れることがない。
【符号の説明】
【００６５】
１  コネクタユニット
２  レセプタクル側基板（基板）
２ａ  コネクタ搭載面
３  レセプタクル（導電パターン式コネクタ）
４  プラグ側基板
４ａ  コネクタ搭載面
５  プラグ（相手コネクタ）
６  レセプタクル本体
７  絶縁シート
８  補助金具
９  金属板
１０  絶縁層（絶縁体）
１１  導電パターン
１２  ホールドダウンパターン
１５  枠体（金属製枠体）
１６  片持ち梁（金属製片持ち梁）
１６ａ  水平部
１６ｂ  基板離間部
１６ｃ  基板近接部
１７  側板
１８  ホールドダウン部
１９  天板
１９ａ  爪部
２０  ガイド板
２０ａ  端面
２１  梁連結部
２５  第１プラグ収容空間
３０  コンタクトカバー（カバー体）
３１  機能部
３２  コンタクトカバー固定部（カバー体固定部）
３３  仮保持部
３４  脚部
３５  固定部
３６  脚部
３７  肩部
３８  爪収容孔
３９  引っ掛かり面
４０  ロック片
４１  変位規制部
４２  ロック片本体
４３  ロック爪
４４  変位規制爪
４５  弾性部
４６  爪保持部
４７  変位規制梁
４８  脚部
５０  機能部収容空間
５１  第２プラグ収容空間
６０  プラグコンタクト
６０ａ  ハンダ付け部
６０ｂ  接点部
６１  インシュレータ
６２  補助金具
６２ａ  ハンダ付け部
６２ｂ  ロック爪
６２ｃ  位置決めガイド部（位置決め接触部）
６３  コンタクト保持梁
６４  位置決め凸部
６５  補助金具保持部
６６  基板対向部
６４ａ  基準面
S  プラグ収容空間（相手コネクタ収容空間）
E  ロック機構
F  被収容部
２P  レセプタクル側基板
３P  レセプタクルコネクタ
６P  片持ち梁
７P  外枠体
２ａP  コネクタ搭載面
８P  天板
９P  側板
１０P  挿入開口ユニット
１１P  挿入開口
８ａP  天板中央部
９ａP  下端部
６ａP  直線部
６ｂP  湾曲部
６ｃP  頂部
ｃP  導電パターン
１００  基材
１０１  コネクタ
１００ａ  底部
１０２  プリント配線基板
【図１】
2014182935.tif 000003
【図２】
2014182935.tif 000004
【図３】
2014182935.tif 000005
【図４】
2014182935.tif 000006
【図５】
2014182935.tif 000007
【図６】
2014182935.tif 000008
【図７】
2014182935.tif 000009
【図８】
2014182935.tif 000010
【図９】
2014182935.tif 000011
【図１０】
2014182935.tif 000012
【図１１】
2014182935.tif 000013
【図１２】
2014182935.tif 000014
【図１３】
2014182935.tif 000015
【図１４】
2014182935.tif 000016
【図１５】
2014182935.tif 000017
【図１６】
2014182935.tif 000018
【図１７】
2014182935.tif 000019
【図１８】
2014182935.tif 000020
【図１９】
2014182935.tif 000021
【図２０】
2014182935.tif 000022
【図２１】
2014182935.tif 000023